(57)【要約】【課題】製造工程において、板状部材相互の粘着防止を確実に防止できると共に、シール製品を取り付ける相手面に貼り付き防止突起を収容する為の逃がし穴を形成する必要が無いシール製品の製造方法を提供することを目的とするものである。【解決手段】貼り付き防止突起を設けた金属材製の板状部材にゴム状弾性材製のシール部材を成形金型により成形するシール製品の製造方法において、前記板状部材の周縁の一部に形成した切り欠き部の周縁に前記貼り付き防止突起を設けた前記板状部材を準備し、ついで前記板状部材にゴム状弾性材製の前記シール部材を前記成形金型により成形する際に、前記貼り付き防止突起が前記成形金型により押し潰されると共に、この押し潰された前記貼り付き防止突起の一部が前記切り欠き部に張り出す事により、前記貼り付き防止突起が前記板状部材の表面から突出しない状態を作り出すことを特徴とする。【選択図】図２
2015105751.tif 000002
【特許請求の範囲】
【請求項１】
貼り付き防止突起（１１）を設けた金属材製の板状部材（１）にゴム状弾性材製のシール部材（２）を成形金型により成形するシール製品の製造方法において、
前記板状部材（１）の周縁の一部に形成した切り欠き部（１２）の周縁に前記貼り付き防止突起（１１）を設けた前記板状部材（１）を準備し、ついで前記板状部材（１）にゴム状弾性材製の前記シール部材（２）を前記成形金型により成形する際に、前記貼り付き防止突起（１１）が前記成形金型により押し潰されると共に、この押し潰された前記貼り付き防止突起（１１）の一部が前記切り欠き部（１２）に張り出す事により、前記貼り付き防止突起（１１）が前記板状部材（１）の表面から突出しない状態を作り出すことを特徴とするシール製品の製造方法。
【請求項２】
前記切り欠き部（１２）は、前記貼り付き防止突起（１１）が張り出した際に、前記貼り付き防止突起（１１）が前記切り欠き部（１２）の領域からはみ出さない大きさを備えていることを特徴とする請求項１記載のシール製品の製造方法。
【請求項３】
前記貼り付き防止突起（１１）を前記板状部材（１）の表面より内側に凹ますことを特徴とする請求項１または２記載のシール製品の製造方法。
【発明の詳細な説明】
【技術分野】
【０００１】
本発明は、シールプレートやガスケット等のシール製品の製造方法に関するものである。
また、本発明は、シール製品を製造する工程において使用する、複数の金属材製の板状部材相互の粘着防止を図ったシール製品の製造方法に関するものである。
【０００２】
特に、複数の金属材製の板状部材を同時に接着剤液にディッピング（浸漬）して各金属部品の表面に接着剤液を塗布する作業における、板状部材相互の粘着防止を図ったシール製品の製造方法に関するものである。
【背景技術】
【０００３】
シールプレートやガスケット等のシール製品のように金属上にゴムを成形する製品では、金属とゴムとを接着するために、金属部品である金属環の表面に接着剤を塗布している。
この塗布の方法としては、接着剤の膜性状や作業効率の関係から、ディッピング（浸漬）法（接着剤液層に金属環を浸し、その後、乾燥し、焼き付ける）が多用されているが、複数枚の金属材製の板状部材を同時に接着剤液に浸漬すると、板状部材同士が接着剤液を介して凝集してしまう。
【０００４】
この結果、この状態で、乾燥・焼結を行なうと、板状部材同士が接着剤を介して強固に固着してしまう問題を惹起した。
【０００５】
そこで、板状部材表面の表面粗さを大きくして板状部材相互の粘着防止を図る試みがなされたが十分ではなかった。（特許文献１）
【０００６】
また、板状部材相互の粘着防止を確実に防止する為に、図８、図９及び図１０に示す様に、板状部材１００のシール部材を取り付ける孔１３０から離れた位置に、貼り付き防止突起１１０を設ける方法が提案された。
【０００７】
しかし、図１１、図１２及び図１３に示す様に、図８の板状部材１００にシール部材２００を成形した後においても、図１３に示す様に、貼り付き防止突起１１０が板状部材１００の表面から突出した状態が残存する。
【０００８】
この為、この種シール製品を取り付ける相手面に貼り付き防止突起１１０を収容する為の逃がし穴を形成する必要があり、製造コストが嵩む問題を招来した。
【先行技術文献】
【特許文献】
【０００９】
【特許文献１】特開２００１−２２１３４２号公報
【発明の概要】
【発明が解決しようとする課題】
【００１０】
本発明は、製造工程において、板状部材相互の粘着防止を確実に防止できると共に、シール製品を取り付ける相手面に貼り付き防止突起を収容する為の逃がし穴を形成する必要が無いシール製品の製造方法を提供することを目的とするものである。
【課題を解決するための手段】
【００１１】
上記目的を達成するために本発明にあっては、貼り付き防止突起を設けた金属材製の板状部材にゴム状弾性材製のシール部材を成形金型により成形するシール製品の製造方法において、前記板状部材の周縁の一部に形成した切り欠き部の周縁に前記貼り付き防止突起を設けた前記板状部材を準備し、ついで前記板状部材にゴム状弾性材製の前記シール部材を前記成形金型により成形する際に、前記貼り付き防止突起が前記成形金型により押し潰されると共に、この押し潰された前記貼り付き防止突起の一部が前記切り欠き部に張り出す事により、前記貼り付き防止突起が前記板状部材の表面から突出しない状態を作り出すことを特徴とする。
【発明の効果】
【００１２】
本発明は、以下に記載されるような効果を奏する。
請求項１記載の発明のシール製品の製造方法によれば、押し潰された貼り付き防止突起の一部が切り欠き部に張り出す構成としている為、板状部材相互の粘着防止を確実に防止できると共に、シール製品を取り付ける相手面に貼り付き防止突起を収容する為の逃がし穴を形成する必要が無い。
また、請求項２記載の発明のシール製品の製造方法によれば、貼り付き防止突起が張り出した際に、貼り付き防止突起が切り欠き部の領域からはみ出さない大きさを備える構成としている為、シール製品の本来の性能を損なう事が無く、相手ハウジングに逃がし溝を形成する必要が無い。
【００１３】
更に、請求項３記載の発明のシール製品の製造方法によれば、シール製品を取り付ける相手面を傷つける事を確実に回避出来る。
【図面の簡単な説明】
【００１４】
【図１】シール製品の平面図。
【図２】本発明に係るシール部材を加硫圧縮成形する前の板状部材の平面図。
【図３】図２のＡ−Ａ断面図。
【図４】図２のＢ−Ｂ断面図。
【図５】図２の板状部材にシール部材を加硫圧縮成形した後の平面図。
【図６】図５のＣ−Ｃ断面図。
【図７】図５のＤ−Ｄ断面図。
【図８】従来技術に係るシール部材を加硫圧縮成形する前の板状部材の平面図。
【図９】図８のＥ−Ｅ断面図。
【図１０】図８のＦ−Ｆ断面図。
【図１１】図８の板状部材にシール部材を加硫圧縮成形した後の平面図。
【図１２】図１１のＧ−Ｇ断面図。
【図１３】図１１のＨ−Ｈ断面図。
【発明を実施するための形態】
【００１５】
以下、本発明を実施するための最良の形態につい図１乃至図７に基づき説明する。
本発明に係るシール製品の製造方法は、貼り付き防止突起１１を設けた金属材製の板状部材１にゴム状弾性材製のシール部材２を成形金型により成形する基本構成を備えている。
【００１６】
そして、図２乃至図４に示す様に、最初に、板状部材１の周縁の一部に形成した切り欠き部１２の周縁に前記貼り付き防止突起１１を設けた板状部材１を準備する。
この切り欠き部１２は、図１に示すシール製品の機能に影響を与えない箇所（本実施態様においては、板状部材１の左右両端部）に、シール製品の機能に影響を与えない大きさの円弧状のものを形成してある。
この切り欠き部１２の形状及び大きさは、シール製品の機能に影響を与えない範囲のものであれば、各種形状及び大きさのものが選択される。
また、切り欠き部１２を設ける箇所も、板状部材１の左右両端部に限らず、シール製品の機能に影響を与えない範囲で適宜選択される。
また、貼り付き防止突起１１の数は、粘着を確実に防止する意味で２個以上存在することが好ましい。
【００１７】
ついで、図５乃至図７に示す様に、この板状部材１のシール部材取付孔１３にゴム状弾性材製のシール部材２を成形金型により成形する。
【００１８】
この際に、図５及び図６に示す様に、貼り付き防止突起１１が成形金型により押し潰されると共に、この押し潰された貼り付き防止突起１１の一部が切り欠き部１２側に張り出す事により、貼り付き防止突起１１が板状部材１の表面から突出しない状態を作り出すことが出来る。
【００１９】
この結果、板状部材１相互の粘着防止を確実に防止できると共に、シール製品を取り付ける相手面に、貼り付き防止突起１１を収容する為の逃がし穴を形成する必要が無い。
【００２０】
このシール製品の製造方法は、貼り付き防止突起１１を設けた板状部材１にシール部材２を成形する前に、板状部材１に接着剤をディッピングにより塗布する工程を備えたシール製品の製造方法において特に有効である。
板状部材１にシール部材２を成形する方法としては、圧縮成形、射出成形、トランスファー成形等が適宜選択して用いられる。
【００２１】
また、本実施態様においては、図６に示す様に、貼り付き防止突起１１を板状部材１の表面と同一平面と成る様に押し潰したが、貼り付き防止突起１１に対応する成形金型表面に突起を設け、貼り付き防止突起１１を板状部材１の表面より内側に凹ます態様とする事により、シール製品を取り付ける相手面を傷つける事を確実に回避出来る。
【００２２】
ゴム状弾性材製のシール部材２の材質としては、ニトリルゴム、スチレンブタジエンゴム、アクリルゴム、ＥＰＤＭ、ＣＲ、シリコーンゴム、フッ素ゴム、天然ゴム等が挙げられ、各種用途に応じて適宜選択して用いられる。
【００２３】
また、板状部材１に使用される材料は、ステンレス、冷延鋼板、亜鉛めっき鋼板、アルミニウム合板等の金属材料が挙げられ、各種用途に応じて適宜選択して用いられる。
【００２４】
また、本発明は上述の発明を実施するための最良の形態に限らず、本発明の要旨を逸脱することなくその他種々の構成を採り得ることはもちろんである。
【産業上の利用可能性】
【００２５】
本発明に係るシール製品の製造方法は、シールプレートやガスケット等のシール製品の製造方法に有効に使用できる。
【符号の説明】
【００２６】
１    板状部材
２    シール部材
１１  貼り付き防止突起
１２  切り欠き部
１３  シール部材取付孔
【図１】
2015105751.tif 000003
【図２】
2015105751.tif 000004
【図３】
2015105751.tif 000005
【図４】
2015105751.tif 000006
【図５】
2015105751.tif 000007
【図６】
2015105751.tif 000008
【図７】
2015105751.tif 000009
【図８】
2015105751.tif 000010
【図９】
2015105751.tif 000011
【図１０】
2015105751.tif 000012
【図１１】
2015105751.tif 000013
【図１２】
2015105751.tif 000014
【図１３】
2015105751.tif 000015